(57)【要約】【課題】利用者の虹彩に対して照明を照射し、虹彩を撮影して生体認識を行う虹彩認識装置および虹彩認識方法を提供。【解決手段】虹彩認識装置10は、照明部14で照明が当てられた利用者の虹彩画像を撮影部12が撮影し、撮影した画像を虹彩認識部16で処理して生体特徴データを検出し、これを虹彩認識辞書18に格納されている登録データと比較して利用者が登録されている本人か否かを判定するもので、照明部14が発光する照明を、照明切替部20によって虹彩認識に適した虹彩認識用照明に変えることにより、利用者が感じるまぶしさを低減して、精度よく虹彩認識を行うことができる。【選択図】図１
2009169853.tif 000002
【特許請求の範囲】
【請求項１】
利用者に対して通常の写真撮影に適した通常撮影用照明を発光する照明手段と、
該照明手段によって照明が照射された前記利用者の虹彩画像を撮影して画像データを生成する撮影手段と、
登録者の虹彩画像に基づく登録データが格納されている虹彩認識辞書から前記登録データを読み出し、前記画像データと比較して前記利用者が登録されている本人か否かを認識する虹彩認識手段とを含む虹彩認識装置において、該装置は、
前記照明手段が発光する前記通常撮影用照明を、虹彩認識に適した虹彩認識用照明に変える照明切替手段を含むことを特徴とする虹彩認識装置。
【請求項２】
請求項１に記載の虹彩認識装置において、前記照明切替手段は、虹彩認識に適した所定の波長の光だけを透過する光学フィルタであって、前記照明手段に対して前記通常撮影用照明の照射方向に貼付されることを特徴とする虹彩認識装置。
【請求項３】
請求項１に記載の虹彩認識装置において、前記照明切替手段は、虹彩認識に適した所定の波長の光だけを透過する光学フィルタを有し、該光学フィルタを前記通常撮影用照明の照射方向となる前面に配置可能に移動するスライド式フィルタであって、前記照明手段に対して前記通常撮影用照明の前面に備えられることを特徴とする虹彩認識装置。
【請求項４】
請求項１に記載の虹彩認識装置において、前記照明手段は、前記通常撮影用照明を発光する第１の発光手段と、虹彩認識に適した所定の波長の光だけを発光する前記虹彩認識用照明を発光する第２の発光手段とを含み、
前記照明切替手段は、前記利用者に対する照明として、通常の写真撮影モードの場合には第１の発光手段を有効にし、虹彩撮影モードの場合には第２の発光手段を有効にするように前記照明手段を制御することを特徴とする虹彩認識装置。
【請求項５】
請求項１に記載の虹彩認識装置において、該装置は、前記画像データに基づいて、該画像データに係る撮影時の照明が虹彩認識に適した光であるか否かを判定する画像判定手段と、
該画像判定手段による判定結果に応じて、前記撮影時の照明が虹彩認識に適した光でない場合には、照明を切り替えるように前記利用者に対してガイダンスを通知するガイダンス手段とを含むことを特徴とする虹彩認識装置。
【請求項６】
請求項１に記載の虹彩認識装置において、該装置は、前記画像データに基づいて、該画像データに係る撮影時の照明が虹彩認識に適した光であるか否かを判定する画像判定手段と、
該画像判定手段による判定結果に応じて、前記撮影時の照明が虹彩認識に適した光でない場合には、照明の光を変えるように前記照明切替手段を制御する照明切替制御手段とを含むことを特徴とする虹彩認識装置。
【請求項７】
利用者に対して通常の写真撮影に適した通常撮影用照明を発光する照明工程と、
該照明工程によって照明が照射された前記利用者の虹彩画像を撮影して画像データを生成する撮影工程と、
登録者の虹彩画像に基づく登録データが格納されている虹彩認識辞書から前記登録データを読み出し、前記画像データと比較して前記利用者が登録されている本人か否かを認識する虹彩認識工程とを含む虹彩認識方法において、該方法は、
前記照明工程で発光される前記通常撮影用照明を、虹彩認識に適した虹彩認識用照明に変える照明切替工程を含むことを特徴とする虹彩認識方法。
【発明の詳細な説明】
【技術分野】
【０００１】
本発明は、虹彩を撮影して生体認識を行う虹彩認識装置および虹彩認識方法に関するものである。
【背景技術】
【０００２】
従来から、生体的特徴を用いた個体識別装置として、目の虹彩部分の画像を用いた虹彩認識装置が提案されている。この虹彩認識装置は、あらかじめ登録者の生体特徴データを登録しておき、また、人間などの生物における目付近の画像、すなわち虹彩画像をカメラで撮影して取得して、この画像から虹彩部分を抽出し、その虹彩データとあらかじめ登録してあるデータとを照合することにより、利用者が登録者本人であるか否かを識別するものである。
【０００３】
たとえば、特許文献１に記載の本人認識装置では、可視光の照明光源で身体の部位を照明し、非接触でその身体の部位を撮影することによりバイオメトリック画像を取得し、このバイオメトリック画像をガイド画像と重ねて表示して身体の部位が適正な撮影位置で撮影されたか否かを判断して、適正な撮影位置で撮影されたと判断された場合に、そのバイオメトリック画像から身体の部位の形態的な特徴を示すバイオメトリック情報を抽出し、あらかじめ登録されたバイオメトリック情報と照合することにより、本人認識を行うことができる。
【０００４】
また、特許文献２に記載の人物識別システムでは、ビデオイメージから虹彩を発見し、その虹彩コードから得られる識別コードと基準コードとを比較して対象の同一性を判断することができる。
【０００５】
ところで、特許文献３では、付勢力または摩擦力によってカメラに取り付けられるレンズが記載されている。
【特許文献１】特許第3825222号
【特許文献２】特表平8-504979号
【特許文献３】特許第3819390号
【発明の開示】
【発明が解決しようとする課題】
【０００６】
虹彩認識装置では、虹彩画像を取得するとき、虹彩に照明を照射して、その照射に同期して虹彩を撮影するが、従来の装置では、このような照明として、人間の目で見える光であって、光の波長の範囲が約380nm（青色光）〜780nm（赤色光）である可視光光源が用いられている。この可視光は、波長ごとに見える色が異なるだけでなく、人間が感じる明るさ、すなわちまぶしさの感覚も異なり、たとえば、明るい場所では、波長が555nm付近の光が、人間にとって最もまぶしく感じられる。
【０００７】
また、虹彩認識装置には、携帯電話に備わるカメラで撮影した画像を利用するものもあり、携帯電話では、通常、白色LEDを照明として使用する。白色LEDは、人間の目に見える光の大部分の波長成分を含む光を発光するもので、このような照明を用いて虹彩に光を照射すると、認識を行う利用者はとてもまぶしく感じてしまう。
【０００８】
さらに虹彩認識装置では、可視光光源のほかに、近赤外光光源を照明として使用するものもある。この近赤外光は、波長が約700nm〜2500nmの範囲の光で、虹彩認識では、900nm以下の近赤外光源が使用される。しかしながら、このような近赤外光は、通常の写真撮影の照明には適していない。
【０００９】
本発明はこのような従来技術の欠点を解消し、利用者が照明によるまぶしさを感じることなく虹彩を撮影することができる虹彩認識装置および虹彩認識方法を提供することを目的とする。
【課題を解決するための手段】
【００１０】
本発明は上述の課題を解決するために、利用者に対して通常の写真撮影に適した通常撮影用照明を発光する照明手段と、この利用者の虹彩画像を撮影して画像データを生成する撮影手段と、登録者の虹彩画像に基づく登録データが格納されている虹彩認識辞書からこの登録データを読み出し、この画像データと比較してこの利用者が登録されている本人か否かを認識する虹彩認識手段とを含む虹彩認識装置は、この照明手段が発光するこの通常撮影用照明を、虹彩認識に適した虹彩認識用照明に変える照明切替手段を含むことを特徴とする。
【００１１】
また、利用者に対して通常の写真撮影に適した通常撮影用照明を発光する照明工程と、この照明工程によって照明が照射されたこの利用者の虹彩画像を撮影して画像データを生成する撮影工程と、登録者の虹彩画像に基づく登録データが格納されている虹彩認識辞書からこの登録データを読み出し、この画像データと比較してこの利用者が登録されている本人か否かを認識する虹彩認識工程とを含む虹彩認識方法は、この照明工程で発光されるこの通常撮影用照明を、虹彩認識に適した虹彩認識用照明に変える照明切替工程を含むことを特徴とする。
【発明の効果】
【００１２】
本発明の虹彩認識装置によれば、照明切替部が、照明部で発光する照明を虹彩認識用照明に変えて、人間が最もまぶしく感じる波長の光を遮断し、虹彩認識に適した波長の光だけを発光させることができるので、虹彩認識において照明が発光することで利用者が感じるまぶしさを低減して、精度よく虹彩認識を行うことができる。
【００１３】
また、本発明の虹彩認識装置によれば、撮影した画像の色成分を解析して照明の光が適切であるか否かを判定し、その結果、適切でない場合には、照明の光を切り替えるように利用者にガイダンスを通知することできるので、利用者が照明の設定を間違えたまま誤って虹彩認識処理を実施することを防ぐことができ、適切な照明で精度よく虹彩認識を行うことができる。
【００１４】
さらに、本発明の虹彩認識装置によれば、撮影画像を解析して照明の光が虹彩認識に適切でないと判定した場合に、自動的に虹彩認識に適切な照明の光に切り替えることできるので、利用者が手動で照明の切り替える煩わしさを省き、照明の設定を間違えたまま誤って虹彩認識処理を実施することを防ぐことができ、適切な照明で精度よく虹彩認識を行うことができる。
【発明を実施するための最良の形態】
【００１５】
次に添付図面を参照して、本発明による虹彩認識装置の実施例を詳細に説明する。たとえば、本発明において、虹彩認識装置10は、図１に示すように、撮影部12が照明部14を制御して撮影タイミングに応じて利用者に対して発光させて、撮影部12がその利用者の虹彩画像を撮影し、撮影した画像を虹彩認識部16で処理して生体特徴データを検出し、これを虹彩認識辞書18に格納されている生体特徴データと比較して利用者が登録されている本人か否かを認識するもので、とくに照明切替部20によって照明部14が発光する照明の光を切り替える。なお、本発明の理解に直接関係のない部分は、図示を省略し、冗長な説明を避ける。
【００１６】
虹彩認識装置10は、本実施例では図示しないが、CPU（Central Processing Unit）などの制御手段によって各部を制御するものでよく、撮影部12がこの制御手段を備えるように構成されてもよい。
【００１７】
撮影部12は、たとえば図２に示すように、被写体からの入射光を取り込むレンズなどの光学系22と、被写体を撮影する電荷結合素子（Charge Coupled Device：CCD）などの撮像素子24とを含んで構成される。この撮像素子24は、複数の画素に対応する複数の受光素子からなる撮像面を有し、この撮像面上に被写体像を結像するものである。
【００１８】
撮影部12は、光学系22を介して入射される被写体からの反射光を撮像素子24で受光して被写体像を結像し、これを光電変換することによりその被写体像を示すアナログデータを生成し、さらにこれをデジタルデータに変換して被写体像を示す画像データ102を生成する。
【００１９】
また、撮影部12は、照明部14に対して撮影タイミング104を通知して、撮影するタイミングに同期して照明を発光するように照明部14を制御する。撮影部12は、撮影タイミングの代わりに照明タイミング104を照明部14に通知してもよい。
【００２０】
たとえば、本実施例の撮影部12を適用したカメラ26が利用者の虹彩を撮影する場合、図２に示すように、光学系22および撮像素子24の光軸112上における眼球26の虹彩28からの反射光を撮像素子24の各画素で受光して、撮影部12がその虹彩28を示す画像データ102を生成する。
【００２１】
照明部14は、撮影部12から通知される撮像タイミング104に応じて、撮影部12による撮影と同期するように照明を発光させる。この照明部14が、携帯電話40に備わるカメラ、すなわち撮影部12に適用される場合、たとえば図３に示すように、このカメラ12の光学系22の近辺に配置される。照明部14は、このように携帯電話40に適用される場合には、図４に示すような波長特性を持つ白色LEDを使用するとよい。また、照明部14は、図５に示すような波長特性を持つ白色LEDを使用してもよい。
【００２２】
たとえば、本実施例の照明部14を利用するカメラ12が利用者の虹彩を撮影する場合、その照明光は、眼球26の表面の角膜30、虹彩28、さらに瞳孔32を通過して網膜34の各所で散乱し、その散乱した光の一部が反射してカメラ12へと進む。
【００２３】
虹彩認識部16は、撮影部12で撮影された画像データ102に基づいて生体特徴データを検出し、また、虹彩認識辞書18に登録されて格納されている生体特徴データ、すなわち登録データ106を読み出して、検出した生体特徴データと読み出した登録データ106とを比較して、検出した生体特徴データに係る利用者が登録されている本人であるか否かを認識し、すなわち登録者判定を行う。
【００２４】
本実施例の虹彩認識部16は、登録者判定を行うとき、検出した生体特徴データと登録データ106との一致率が所定の閾値以上である場合に、その利用者が登録者本人であると判定してよい。
【００２５】
虹彩認識辞書18は、本装置10に登録された複数の利用者の生体特徴データを格納するもので、たとえばデータベースなどが使用される。この虹彩認識辞書18は、本装置10と対になる虹彩登録装置などで登録された利用者の生体特徴データを格納する。
【００２６】
照明切替部20は、照明部14が発光する照明のまぶしさを低減するもので、通常の照明を虹彩認識に最適な照明に変えることができる。この照明切替部20は、照明部14またはその照明に対して直接的または間接的に作用して所望の照明を発光させるもので、照明部14に直接的または間接的に接して備えられてよい。
【００２７】
ところで、図６は、人間が感じる明るさ、すなわち視感度を波長ごとに示したグラフであり、明るい場所での視感度122、および暗い場所での視感度124を示している。図６によれば、明るい場所で人間が最も明るく感じる光、すなわちまぶしく感じる光は、波長が555nm付近の光であり、波長が長くなるに従って人間の明るさに対する感度は低くなり、利用者の感じるまぶしさが低減する。本実施例の照明切替部20は、照明部14が発する照明の照射方向に備えられて、このような555nm付近の波長の光を照明から遮断して、虹彩認識に有効な近赤外光に近く、より長い波長の光、たとえば赤色照明を通過させるものでよい。
【００２８】
本実施例の照明切替部20は、たとえば図７に示すように、密着型フィルタ42が適用されて、照明部14であるLED（Light Emitting Diode）の表面に貼付されるものでよい。この密着型フィルタ42は、一般に写真撮影用に使用され、とくに日陰で青みが強く撮影されるのを緩和するために使用される光学フィルタでよい。このフィルタ42は、所定の波長以下の光を遮断するもので、たとえば、560nm〜600nm以下の波長の光を遮断して虹彩認識に適した光だけを透過させるフィルタが望ましい。このような密着型フィルタ42は、フィルタ本体と照明部14の表面との摩擦力によって取り付けることが可能である。
【００２９】
また、照明切替部20は、たとえば図８および図９に示すように、密着型フィルタ42の代わりにスライド式フィルタ44が適用されてもよい。このスライド式フィルタ44は、スライド式のスイッチ46の操作に応じて、その開口部48を光学フィルタ50にて覆うか否かを切り替え、すなわち光学フィルタ50の使用を切り替えるものである。
【００３０】
スライド式フィルタ44は、照明部14の照射方向となる前面に適宜備えられて、照明部14による照射を開口部48を介して発することができるもので、光学フィルタ50は、照明部14の照射方向である前面に配置可能に移動する。たとえば、スライド式フィルタ44は、照明部14が携帯電話40に備わるカメラ12に適用される場合、たとえば図１０に示すように、照明部14の照射方向に開口部48が位置するように照明部14の前面に配置される。
【００３１】
スライド式フィルタ44は、たとえば図１１に示すように、上板52および下板54の間にフィルタ板50を配置して構成されるものでよい。また、このフィルタ板50は、スライドスイッチ46の操作に応じて、上板52または下板54に備えられるガイド56および58に沿って移動して、上板52および下板54における窓、すなわち開口部48を覆うか否かが切り替えられる。フィルタ板50は、たとえば下方に移動してストッパ60によって固定されて開口部48を覆い、また、上方に移動して開口部48を開けて上板52および下板54によって隠される。
【００３２】
スライド式フィルタ44におけるスライドスイッチ46は、スライド式フィルタ44自体に備えられてもよく、またはこのフィルタ44を適用するカメラ12に備えられてもよい。また、この光学フィルタ50は、上述した密着型フィルタ42と同様にして所定の光を遮断して虹彩認識に適した光を通過させるものでよい。
【００３３】
このスライド式フィルタ44は、たとえばスライドスイッチ46がオンである場合には、図９に示すように、開口部48を閉じて照明部14であるLEDを光学フィルタ50で覆い、すなわち光学フィルタ50の使用をオンにし、また、オフである場合には、図８に示すように、この開口部48を空けて、すなわち光学フィルタ50の使用をオフにする。
【００３４】
たとえば、カメラ12が通常の撮影を行うときには、光学フィルタ50の使用をオフにし、また、虹彩認識のための撮影を行うときには、光学フィルタ50の使用をオンにするとよい。
【００３５】
さらに、照明切替部20は、密着型フィルタ42やスライド式フィルタ44などのフィルタを備える代わりに、通常撮影用照明と虹彩認識用照明とを切り替えて照明部14を制御するように構成することもできる。この照明切替部20は、通常撮影および虹彩認識のいずれかを示す切替信号108を照明部14に供給するもので、照明切替ボタン（図示せず）を備えてこのボタンの操作に応じて切替信号108を生成するとよい。
【００３６】
この照明切替部20は、たとえば、照明部14が通常撮影用照明を発光する第１の発光手段と、虹彩認識用照明を発光する第２の発光手段とを含むとき、本装置10が通常の写真撮影モードで動作する場合には、利用者に対する照明として第１の発光手段を有効にし、また、虹彩撮影モードで動作する場合には、第２の発光手段を有効にするように照明部14を制御する。
【００３７】
このとき、照明部14は、たとえば、通常の照明を発光する白色LEDを第１の発光手段として装着し、600nm以上の波長の光を虹彩認識用照明として発光する赤色LEDを第２の発光手段として装着して、照明切替部20からの切替信号108に応じて赤色LEDと白色LEDとを切り替えて使用して照明を発光するとよい。
【００３８】
また、照明部14は、図１２に示すような特性を有する赤色LED、緑色LEDおよび青色LEDを含んで構成される白色LEDを装着するときには、新たに虹彩認識用照明の赤色LEDを追加することなく、切替信号108によって虹彩認識用照明が指示された場合に、この白色LED内の赤色LEDだけを発光させるように制御すればよい。
【００３９】
このように、本装置10は、照明切替部20が照明部14の照明を虹彩認識用照明に変えることができるので、人間が最もまぶしく感じる波長の光を遮断し、虹彩認識に最適な波長の光だけを発光させるようにすることができる。これにより、本装置10では、虹彩認識において照明が発光することで生じるまぶしさを低減して、精度よく虹彩認識を行うことができる。
【００４０】
また、他の実施例として、本発明の虹彩認識装置200は、図１３に示すように、撮影画像に基づいて照明が虹彩認識に適切な光であるか否かを判定する画像判定部202と、照明が虹彩認識に適切でないことを利用者に示すガイダンス部204を有して構成される。この実施例において、他の各部は、図１および図２を参照して説明した実施例と同様に構成されて動作するものでよい。
【００４１】
画像判定部202は、撮影部12で撮影した画像データ212に基づいて画像の色成分を検出し、各色成分の関係を解析して、その画像撮影時に用いた照明が虹彩認識に適切か否かを判定し、その判定結果214をガイダンス部204に供給する。
【００４２】
たとえば、可視光光源14によって波長が比較的長い成分を有する照明、たとえば赤色照明を用いて利用者を照射して、RGBの３原色の受光素子を有するカラーカメラ12で虹彩を撮影した場合、他の成分の値と比較して、Ｒ（赤）成分の値のみが大きくなる画像データ212が生成される。本実施例の画像判定部202は、画像データ212の各色成分のうち、虹彩認識に最適な比較的波長の長い成分、すなわち赤色照明が、照明の波長に多く含まれているか否かを判定するものでよい。
【００４３】
ガイダンス部204は、画像判定部202の判定結果214に基づいてガイダンス出力をするもので、照明が適切でないことを示す判定結果214が供給された場合には、利用者に対して照明の光を切り替えるように通知するガイダンスを出力する。ガイダンス部204は、判定結果214により照明が適切であることが示された場合には、ガイダンスを出力しなくてよい。
【００４４】
次に、本実施例における虹彩認識装置200において、画像判定部202で照明が虹彩認識に適切であるか否かを判定し、ガイダンス部204がその判定結果を利用者に知らせる動作を説明する。
【００４５】
本装置200では、まず、照明部14が所定の照明を利用者に対して発光し、撮影部12がその利用者の虹彩を撮影して画像データ212を生成する。
【００４６】
この画像データ212は、上記実施例で説明した画像データ102と同じもので、撮影部12から画像判定部202に供給され、その画像の色成分が検出されて各色成分の関係が解析される。
【００４７】
たとえば、ＲＧＢの３原色の受光素子を有するカラーカメラ12では、撮影した画像は、Ｒ（赤）成分、Ｇ（緑）成分およびＢ（青）成分の３つのカラー成分に分離することができる。それぞれの値は、撮影した画像の色成分がどの程度であるかを示している。たとえば、Ｂ成分が他の成分より大きければ青みを帯びた画像であり、すべての成分が大きければ白っぽい画像であるといえる。
【００４８】
虹彩認識に最適な比較的波長の長い照明、すなわち赤色照明を虹彩に照射して撮影した画像は、Ｒ成分が大きく、赤みを帯びた画像になる。したがって、画像データ212のＲ成分が他の２つの成分より大きいか否かを比較して、大きければ照明の光が虹彩認識に適切であると判定することができる。
【００４９】
画像判定部202において画像データ212の色成分を比較するとき、たとえば、各色成分の平均値を検出し、それらを比較して色成分の大小関係を判定してよい。各色成分の平均値は、画像の全画素を対象として、全画素からＲ、ＧおよびＢ成分を抽出し、色成分ごとに平均化して検出してもよく、または虹彩認識に使用する利用者の目が写っている部分のみを対象として検出してもよい。
【００５０】
本実施例の画像判定部202では、たとえば、画像全体に対するＲ、ＧおよびＢ成分の平均値としてRave、GaveおよびBaveをそれぞれ検出したとき、RaveとGaveとの差分、およびRaveとBaveとの差分がそれぞれ所定の閾値TH_RG1およびTH_RB1以上である場合、すなわち数式Rave-Gave>TH_RG1、および数式Rave-Bave>TH_RB1が成り立つ場合に、照明の光が虹彩認識に適切であると判断することができる。
【００５１】
また、画像判定部202では、たとえば、RaveとGaveとの比、およびRaveとBaveとの比がそれぞれ所定の閾値TH_RG2およびTH_RB2以上である場合、すなわち数式Rave/Gave>TH_RG2、および数式Rave/Bave>TH_RB2が成り立つ場合に、照明の光が虹彩認識に適切であると判断してもよい。
【００５２】
このようにして、画像判定部202において、照明の光が虹彩認識に適切でないと判定された場合には、照明不適切を示す判定結果214がガイダンス部204に通知される。また、照明の光が適切であると判定された場合には、ガイダンス部204への通知はされない。
【００５３】
ガイダンス部204では、画像判定部202から供給される判定結果214が、照明不適切を示す場合、照明が虹彩認識に適切でないこと、および照明の光を切り替えるべきであることを示す指示が、利用者に対してガイダンスされる。
【００５４】
本実施例のガイダンス部204では、利用者に対するガイダンスとして、指示の音声出力、警告音出力、および／またはディスプレイ表示をすることができる。
【００５５】
このように、虹彩認識装置200は、撮影した画像の色成分を解析して照明の光が適切であるか否かを判定し、その結果、適切でない場合には、照明の光を切り替えるように利用者に指示することできる。これによって、利用者が照明の設定を間違えたまま誤って虹彩認識処理を実施することを防ぐことができ、適切な照明で精度よく虹彩認識を行うことができる。
【００５６】
また、他の実施例として、本発明の虹彩認識装置300は、図１４に示すように、撮影画像に基づいて照明が虹彩認識に適切な光であるか否かを判定した結果、照明が虹彩認識に適切でない場合に自動的に照明の光を切り替える照明切替制御部302を有して構成される。この実施例において、他の各部は、図１、図２および図１３を参照して説明した実施例と同様に構成されて動作するものでよい。
【００５７】
照明切替制御部302は、画像判定部202の判定結果214に基づいて、照明が虹彩認識に適切でないことを示す場合に、照明部14を制御して虹彩認識に適切な照明を発光するように自動的に照明を切り替える。照明切替制御部302は、たとえば、虹彩認識に適切な照明、すなわち虹彩認識照明を指示する制御信号312を照明切替部20に供給する。
【００５８】
次に、本実施例における虹彩認識装置300において、自動的に照明の光を切り替える動作を説明する。
【００５９】
本装置300では、まず、照明部14が所定の照明を利用者に対して発光し、撮影部12がその利用者の虹彩を撮影して画像データ212を生成し、画像判定部202がこの画像データ212に基づいて照明が虹彩認識に適切であるか否かを判定する。
【００６０】
画像判定部202から、照明が虹彩認識に適切でない旨を示す判定結果214が照明切替制御部302に供給されると、この制御部302では、虹彩認識に適切な照明を発光するように照明部14を制御する制御信号312が生成されて照明切替部20に供給される。
【００６１】
照明切替部20では、この虹彩認識照明を指示する制御信号312に応じて照明部14を制御し、この虹彩認識用照明の発光を指示する切替信号108を照明部14に供給して、照明の光を自動的に切り替えて、虹彩認識に適切な照明を発光させる。
【００６２】
本実施例では、たとえば、通常の写真を撮影する際に使用する白色LEDと、600nm以上の波長の光を発光する赤色LEDとを有する照明部14を使用する場合、照明部14では、虹彩認識照明を指示する切替信号108に応じて、白色LEDの発光が停止され、代わりに赤色LEDが発光されるように制御される。
【００６３】
また、たとえば図１２に示すような特性を有する赤色LED、緑色LEDおよび青色LEDで構成される白色LEDを有する照明部14を使用する場合、新たに赤色LEDを追加する必要はなく、照明部14では、虹彩認識照明を指示する切替信号108に応じて、白色LED内の赤色LEDだけを発光させるように制御されて、照明が発光される。
【００６４】
このように、虹彩認識装置300では、撮影画像を解析して照明の光が虹彩認識に適切でないと判定した場合に、自動的に虹彩認識に適切な照明の光に切り替えることできる。これによって、利用者が手動で照明の切り替える煩わしさを省き、照明の設定を間違えたまま誤って虹彩認識処理を実施することを防ぐことができ、適切な照明で精度よく虹彩認識を行うことができる。
【００６５】
本発明の虹彩認識装置は、利用者の虹彩に基づいて登録者認識を行うものであるが、本発明の照明切替部、画像判定部、ガイダンス部および照明切替制御部を、虹彩以外の生体情報に関するデータに基づいて登録者認識する装置に適用して、その生体に対して発光する照明を変えるように構成することもできる。
【図面の簡単な説明】
【００６６】
【図１】本発明に係る虹彩認識装置の一実施例を示すブロック図である。
【図２】図１に示した虹彩認識装置による虹彩撮影を示す概要図である。
【図３】図１に示した虹彩登録装置の照明部を携帯電話に配置した概要図である。
【図４】図１に示した虹彩登録装置の照明部に適用される白色LED の波長特性を示すグラフである。
【図５】図１に示した虹彩登録装置の照明部に適用される白色LED の波長特性を示すグラフである。
【図６】光の波長ごとに視感度を示したグラフである。
【図７】図１に示した虹彩登録装置の照明部を携帯電話に配置した概要図である。
【図８】図１に示した虹彩登録装置に適用されるスライド式フィルタのオフ状態を示す概要図である。
【図９】図１に示した虹彩登録装置に適用されるスライド式フィルタのオン状態を示す概要図である。
【図１０】図８および図９に示したスライド式フィルタを携帯電話に配置した概要図である。
【図１１】図８および図９に示したスライド式フィルタの構成例を示す概要図である。
【図１２】図１に示した虹彩登録装置の照明部に適用される白色LED の波長特性を示すグラフである。
【図１３】本発明に係る虹彩認識装置の他の実施例を示すブロック図である。
【図１４】本発明に係る虹彩認識装置の他の実施例を示すブロック図である。
【符号の説明】
【００６７】
10  虹彩認識装置
12  撮影部
14  照明部
16  虹彩認識部
18  虹彩認識辞書
20  照明切替部
【図１】
2009169853.tif 000003
【図２】
2009169853.tif 000004
【図３】
2009169853.tif 000005
【図４】
2009169853.tif 000006
【図５】
2009169853.tif 000007
【図６】
2009169853.tif 000008
【図７】
2009169853.tif 000009
【図８】
2009169853.tif 000010
【図９】
2009169853.tif 000011
【図１０】
2009169853.tif 000012
【図１１】
2009169853.tif 000013
【図１２】
2009169853.tif 000014
【図１３】
2009169853.tif 000015
【図１４】
2009169853.tif 000016